(57)【要約】【課題】１つの受光部で操作部の多数の操作位置を検出することが可能でありながら低コストで製造することができるコンビネーションスイッチ装置を提供する。【解決手段】ターンスイッチ装置１は、第１の方向及び第１の方向に略直交する第２の方向に操作可能な操作レバー１２と、操作レバー１２になされた第２の方向の操作を第３の方向の変位に変換し、光が通過又は透過する透過領域、及び光が遮蔽される遮蔽領域を有するシャッタ部１８と、シャッタ部１８に向けて光を出射する第１〜第４の発光部２１〜２４と、操作レバー１２になされた第１及び第２の方向の操作により変位するシャッタ部１８の透過領域を介して第１〜第４の発光部２１〜２４から出射された光を受光する受光部２６と、受光部２６により受光された光の光量に基づいて操作レバー１２の操作位置を判定する判定部３２と、を備えて概略構成されている。【選択図】図１
2011171018.tif 000002
【特許請求の範囲】
【請求項１】
第１の方向及び前記第１の方向に略直交する第２の方向に操作可能な操作部と、
前記操作部になされた前記第２の方向の操作を第３の方向の変位に変換し、光が通過又は透過する透過領域、及び光が遮蔽される遮蔽領域を有する光透過遮蔽部と、
前記光透過遮蔽部に向けて光を出射する発光部と、
前記操作部になされた前記第１及び第２の方向の操作により変位する前記光透過遮蔽部の前記透過領域を介して前記発光部から出射された前記光を受光する受光部と、
前記受光部により受光された前記光の光量に基づいて前記操作部の操作位置を判定する判定部と、
を備えたコンビネーションスイッチ装置。
【請求項２】
前記透過領域は、少なくとも１つのスリットを有し、前記発光部から出射された前記光の光量の減衰幅が大きいスリット部と、前記発光部から出射された前記光の光量の減衰幅が前記スリット部より小さい開口部と、を備える請求項１に記載のコンビネーションスイッチ。
【請求項３】
前記発光部から出射された前記光を前記受光部に導く光案内部を有する請求項２に記載のコンビネーションスイッチ装置。
【請求項４】
前記発光部は、順番に光を出射する複数の発光素子からなり、
前記判定部は、前記受光部が受光する前記複数の発光素子のそれぞれの光量の組み合わせに基づいて前記操作部の前記操作位置を判定する請求項３に記載のコンビネーションスイッチ装置。
【請求項５】
前記操作部は、端部の両側面に第１及び第２の凸部を有し、
前記光透過遮蔽部は、前記透過領域及び前記遮光領域が形成されたシャッタを支持する基部と、前記操作部の前記端部の前記側面に対応して前記基部に設けられた第１及び第２の側部と、前記第１の側部に設けられ、前記第１の凸部が挿入される第１の案内部と、前記第２の側部に設けられ、前記第２の凸部が挿入される第２の案内部と、を有し、前記第１の案内部に前記第１の凸部が案内され、前記第２の案内部に前記第２の凸部が案内されることにより、前記第３の方向に変位する請求項４に記載のコンビネーションスイッチ装置。
【発明の詳細な説明】
【技術分野】
【０００１】
本発明は、コンビネーションスイッチ装置に関する。
【背景技術】
【０００２】
従来の技術として、可動部と、互いに対向した発光素子と受光素子と、これら発光素子と受光素子の間に配置して可動部に連動する遮光板と、を備えた可動部位置検出システムが知られている（例えば、特許文献１参照。）。
【０００３】
この遮光板には、可動部の移動位置に対応して異なる開口面積の透過開口部が形成されている。可動部位置検出システムは、可動部の移動位置に対応する透過開口部を通過して受光素子に入射する光量が変化するので、この光量の変化に基づいて可動部の移動位置を検出する。
【先行技術文献】
【特許文献】
【０００４】
【特許文献１】特開２００９−１１０８７６号公報
【発明の概要】
【発明が解決しようとする課題】
【０００５】
しかし、従来の可動部位置検出システムは、検出対象である可動部の移動位置が多くなるにつれて透過開口部の開口面積の種類が増え、そのため微小な光量変化を検出する必要がある。よって可動部位置検出システムは、微小な光量変化を検出するために高精度な発光回路及び受光回路が必要となり、高コストとなる問題があった。
【０００６】
本発明の目的は、１つの受光部で操作部の多数の操作位置を検出することが可能でありながら低コストで製造することができるコンビネーションスイッチ装置を提供することにある。
【課題を解決するための手段】
【０００７】
本発明の一態様は、第１の方向及び前記第１の方向に略直交する第２の方向に操作可能な操作部と、前記操作部になされた前記第２の方向の操作を第３の方向の変位に変換し、光が通過又は透過する透過領域、及び光が遮蔽される遮蔽領域を有する光透過遮蔽部と、前記光透過遮蔽部に向けて光を出射する発光部と、前記操作部になされた前記第１及び第２の方向の操作により変位する前記光透過遮蔽部の前記透過領域を介して前記発光部から出射された前記光を受光する受光部と、前記受光部により受光された前記光の光量に基づいて前記操作部の操作位置を判定する判定部と、を備えたコンビネーションスイッチ装置を提供する。
【発明の効果】
【０００８】
本発明によれば、１つの受光部で操作部の多数の操作位置を検出することが可能でありながら低コストで製造することができる。
【図面の簡単な説明】
【０００９】
【図１】図１は、本発明の実施の形態に係るコンビネーションスイッチ装置としてのターンスイッチ装置及びワイパスイッチ装置を搭載する車両内部の概略図である。
【図２】図２（ａ）は、本発明の実施の形態に係るターンスイッチ装置の支持部周辺の概略図であり、（ｂ）は、操作レバーとシャッタ部の接続の様子を示す側面図であり、（ｂ）は、その正面図である。
【図３】図３（ａ）は、本発明の実施の形態に係る中立位置におけるターンスイッチ装置を上面から見た概略図であり、（ｂ）は、操作レバーを中立位置から操作位置「Ｌ」方向に操作したときのターンスイッチ装置の概略図であり、（ｃ）は、操作レバーを中立位置から操作位置「Ｒ」方向に操作したときのターンスイッチ装置の概略図である。
【図４】図４（ａ）は、本発明の実施の形態に係る中立位置「Ｌｏ」におけるターンスイッチ装置を側面から見た概略図であり、（ｂ）は、操作レバーを中立位置から操作位置「Ｐ」方向に操作したときのターンスイッチ装置の概略図であり、（ｃ）は、操作レバーを中立位置から操作位置「Ｈｉ」方向に操作したときのターンスイッチ装置の概略図である。
【図５】図５は、本発明の実施の形態に係るシャッタ部のシャッタの上面図である。
【図６】図６（ａ）は、本発明の実施の形態に係る発光部と受光部の配置に関する概略図であり、（ｂ）〜（ｅ）は、第１〜第４の発光部の発光タイミングに関する図である。
【図７】図７は、本発明の実施の形態に係るターンスイッチ装置に関するブロック図である。
【図８】図８（ａ）は、本発明の実施の形態に係るライトガイドの側面図であり、（ｂ）は、ライトガイドの上面図、（ｃ）は、図８（ｂ）のVIII(ｃ)−VIII(ｃ)線で切断した断面図である。
【図９】図９は、本発明の実施の形態に係る機能割付情報を示す表である。
【図１０】図１０（ａ）〜（ｏ）は、本発明の実施の形態に係る発光部群とシャッタの位置と操作レバーの操作位置の関係を示す概略図である。
【図１１】図１１は、変形例に係る機能割付情報を示す表である。
【図１２】図１２（ａ）〜（ｊ）は、変形例に係る発光部群とシャッタの位置と操作レバーの操作位置の関係を示す概略図である。
【発明を実施するための形態】
【００１０】
[実施の形態]
図１は、本発明の実施の形態に係るコンビネーションスイッチ装置としてのターンスイッチ装置及びワイパスイッチ装置を搭載する車両内部の概略図である。ターンスイッチ装置１及びワイパスイッチ装置７は、コンビネーションスイッチ装置の一例である。本実施の形態においては、主に、ターンスイッチ装置１について説明する。
【００１１】
ターンスイッチ装置１は、例えば、ワイパスイッチ装置７とともに、ステアリングコラム５１の上部に設けられている。また、ターンスイッチ装置１及びワイパスイッチ装置７は、例えば、ステアリングホイール５２を把持した状態で操作可能に構成されている。
【００１２】
（ターンスイッチ装置の構成）
図２（ａ）は、本発明の実施の形態に係るターンスイッチ装置の支持部周辺の概略図であり、（ｂ）は、操作レバーとシャッタ部の接続の様子を示す側面図であり、（ｂ）は、その正面図である。
【００１３】
ターンスイッチ装置１は、主に、第１の方向及び第１の方向に略直交する第２の方向に操作可能な操作部としての操作レバー１２と、操作レバー１２になされた第２の方向の操作を第３の方向の変位に変換し、光が通過又は透過する透過領域、及び光が遮蔽される遮蔽領域を有する光透過遮蔽部としてのシャッタ部１８と、シャッタ部１８に向けて光を出射する第１〜第４の発光部２１〜２４と、操作レバー１２になされた第１及び第２の方向の操作により変位するシャッタ部１８の透過領域を介して第１〜第４の発光部２１〜２４から出射された光を受光する受光部２６と、受光部２６により受光された光の光量に基づいて操作レバー１２の操作位置を判定する判定部３２と、を備えて概略構成されている。
【００１４】
ここで、第１の方向とは、例えば、図１に示す操作位置「ＣＲ」〜「ＣＬ」に操作レバー１２を操作する方向である。また、第２の方向とは、例えば、図２（ａ）に示す操作位置「Ｈｉ」〜「Ｐ」に操作レバー１２を操作する方向である。第３の方向とは、例えば、図２（ａ）に示す矢印Ｃ及びＤの方向である。
【００１５】
操作レバー１２は、図２（ａ）及び（ｃ）に示すように、端部１２０の両側面に第１及び第２の凸部１２２ａ、１２２ｂを有する。
【００１６】
また、シャッタ部１８は、図２（ａ）〜（ｃ）に示すように、透過領域及び遮光領域が形成されたシャッタ１８０を支持する基部１８Ａと、操作レバー１２の端部１２０の側面に対応して基部１８Ａに設けられた第１及び第２の側部１８２ａ、１８２ｂと、第１の側部１８２ａに設けられ、第１の凸部１２２ａが挿入される第１の案内部１８３ａと、第２の側部１８２ｂに設けられ、第２の凸部１２２ｂが挿入される第２の案内部１８３ｂと、を有し、第１の案内部１８３ａに第１の凸部１２２ａが案内され、第２の案内部１８３ｂに第２の凸部１２２ｂが案内されることにより、第３の方向に変位する。なお、第１及び第２の凸部１２２ａ、１２２ｂは、例えば、端部１２０に形成された貫通孔に挿入されたピン等によって形成されても良い。
【００１７】
操作レバー１２とシャッタ部１８は、図２（ａ）に示すように、支持部１６により、その接続部分が覆われている。支持部１６は、例えば、シャッタ部１８の基部１８Ａが、矢印Ｃ及びＤ方向にスライド可能となるように構成されている。
【００１８】
ターンスイッチ装置１は、第１〜第４の発光部２１〜２４から出射された光を受光部２６に導く光案内部としてのライトガイド２８を有する。なお、ライトガイド２８は、受光部２６をシャッタ部１８のシャッタ１８０を介して第１〜第４の発光部２１〜２４と対向する位置に配置できる場合は、無くても良い。
【００１９】
（操作レバーについて）
図３（ａ）は、本発明の実施の形態に係る中立位置におけるターンスイッチ装置を上面から見た概略図であり、（ｂ）は、操作レバーを中立位置から操作位置「Ｌ」方向に操作したときのターンスイッチ装置の概略図であり、（ｃ）は、操作レバーを中立位置から操作位置「Ｒ」方向に操作したときのターンスイッチ装置の概略図である。図３（ａ）〜（ｃ）は、説明のため、ライトガイド２８や基板２０等を省略している。
【００２０】
操作レバー１２は、例えば、図１、図３（ａ）〜（ｃ）に示すように、回転支軸１４を中心に回転するように構成され、図３（ｂ）に示すように、中立位置を「Ｎ」として図１の上方向に「Ｌ」と「ＣＬ」、図３（ｃ）に示すように、図１の下方向に「Ｒ」と「ＣＲ」の５パターンの操作位置を有する。また、操作レバー１２は、例えば、図１の上方向に操作されるとき、回転支軸１４を中心に、図２に示す矢印Ａ方向に変位し、図１の下方向に操作されるとき、回転支軸１４を中心に、図２に示す矢印Ｂ方向に変位する。
【００２１】
また、操作レバー１２は、例えば、図２（ａ）に示すように、図１に示す操作位置と略直交する方向に操作可能に構成され、このディマ操作により中立位置「Ｌｏ」から図２（ａ）の上方向に「Ｐ」、図２（ａ）の下方向に「Ｈｉ」の３パターンの操作位置を有する。なお、操作者から見たとき、操作レバー１２を操作者側に操作すると「Ｐ」の操作位置、操作者から離れる側に操作すると「Ｈｉ」の操作位置に操作することができる。
【００２２】
ここで、「Ｎ」は、方向指示器等の点灯が行われない操作位置であり、「Ｌ」は、左側の方向指示器が点滅する操作位置であり、「ＣＬ」は、左側の方向指示器が点滅するとともに、左側のコーナリングランプが点灯する操作位置である。また、「Ｒ」は、右側の方向指示器が点滅する操作位置であり、「ＲＬ」は、右側の方向指示器が点滅するとともに、右側のコーナリングランプが点灯する操作位置である。なお、操作レバー１２の操作位置に割り付けられた機能は、上記に限定されない。
【００２３】
また、「Ｌｏ」は、ヘッドライトの光軸が下向き（ロービーム）となる操作位置であり、ヘッドライト（ロービーム）は、例えば、操作レバー１２の先端に設けられた回転スイッチをオンする、又は車外の照度等に基づく自動点灯によって点灯するものとする。「Ｐ」は、ヘッドライトの光軸が上向きと下向きに交互となる操作位置である。さらに、「Ｈｉ」は、ヘッドライトの光軸が上向き（ハイビーム）となる操作位置である。なお、操作レバー１２の操作位置に割り付けられた機能は、上記に限定されない。また、操作位置「Ｐ」及び「Ｈｉ」は、操作レバー１２の他の操作位置「ＣＬ」〜「ＣＲ」においても操作可能であるとし、特に操作位置「Ｐ」は、操作レバー１２を操作位置「Ｐ」に操作した後、操作レバー１２は、中立位置である操作位置「Ｌｏ」に復帰するものとする。
【００２４】
（支持部について）
支持部１６は、例えば、図２（ａ）に示すように、一方端部及び底部の一部に開口が形成された箱形状を有し、端部の開口内に操作レバー１２の端部１２０が挿入されている。また、シャッタ部１８は、例えば、支持部１６の底部の開口に沿って変位するように構成されている。
【００２５】
支持部１６の上面１６ａには、図２（ａ）に示すように、凸部１６０が形成されている。この凸部１６０は、ターンスイッチ装置１の本体１０の内部に形成された凹部に挿入され、この凸部１６０を回転支軸１４として操作レバー１２及びシャッタ部１８は回転する。
【００２６】
図４（ａ）は、本発明の実施の形態に係る中立位置「Ｌｏ」におけるターンスイッチ装置を側面から見た概略図であり、（ｂ）は、操作レバーを中立位置から操作位置「Ｐ」方向に操作したときのターンスイッチ装置の概略図であり、（ｃ）は、操作レバーを中立位置から操作位置「Ｈｉ」方向に操作したときのターンスイッチ装置の概略図である。
【００２７】
支持部１６の側面１６ｃ、１６ｄには、例えば、図２（ａ）及び図４（ａ）に示すように、操作レバー１２の端部１２０の第１及び第２の凸部１２２ａ、１２２ｂが挿入される第１及び第２の案内部１８３ａ、１８３ｂが形成されている。
【００２８】
シャッタ部１８は、図４（ｂ）及び（ｃ）に示すように、操作レバー１２の「Ｐ」や「Ｈｉ」方向への操作に伴う端部１２０の第１及び第２の凸部１２２ａ、１２２ｂの変位により、第１及び第２の案内部１８３ａ、１８３ｂに案内されながら、図２（ａ）に示す矢印Ｃ及びＤ方向に、平面的に変位する。この支持部１６の平面的な変位は、例えば、受光部２６等が配置された基板２０に平行な平面内で行われる。
【００２９】
シャッタ部１８は、例えば、操作レバー１２が図２（ａ）の上方向（「Ｐ」方向）に操作されたとき、図２（ａ）に示す矢印Ｃ方向に変位し（図４（ｂ）参照。）、操作レバー１２が図２（ａ）の下方向（「Ｈｉ」方向）に操作されたとき、図２（ａ）に示す矢印Ｄ方向に変位する（図４（ｃ）参照。）。
【００３０】
（シャッタ部について）
図５は、本発明の実施の形態に係るシャッタ部のシャッタの上面図である。シャッタ部１８のシャッタ１８０は、例えば、図５に示すように、板形状の基板に、光を遮蔽する遮蔽領域１８０ａと、光が通り抜ける透過領域としてのスリット１８０ｂ及び開口部１８０ｃと、が形成されている。
【００３１】
遮蔽領域１８０ａは、例えば、シャッタ１８０において、透過領域以外の領域である。第１〜第４の発光部２１〜２４から出射された光は、この遮蔽領域１８０ａを通過又は透過することができないものとする。
【００３２】
判定部３２は、例えば、受光部２６により受光された光の透過率が５０％より低いと判定したとき、光量が０であると判定するものとする。よって遮蔽領域１８０ａに向けて出射された光の光量は、０であり、この状態を図５に示す状態３とする。
【００３３】
透過領域は、少なくとも１つのスリット１８０ｂを有し、第１〜第４の発光部２１〜２４から出射された光の光量の減衰幅が大きい第１〜第６のスリット部１８１〜１８６と、第１〜第４の発光部２１〜２４から出射された光の光量の減衰幅が第１〜第６のスリット部１８１〜１８６よりも小さい開口部１８０ｃと、からなる。なお、第１〜第６のスリット部１８１〜１８６及び開口部１８０ｃの数は、上記に限定されず、操作レバー１２の操作位置に応じて増減する。
【００３４】
スリット１８０ｂは、例えば、所定の数を等間隔に並べることにより、第１〜第６のスリット部１８１〜１８６を形成する。このスリット１８０ｂは、矩形状を有する開口であるが、これに限定されず、形状が異なるもの、光を透過する材料が埋め込まれたもの、又は、光を透過する材料の表面をパターニングして形成されたもの等であっても良く、開口部１８０ｃもまた同様である。
【００３５】
第１〜第４の発光部２１〜２４から出射された光は、この第１〜第６のスリット部１８１〜１８６を通過又は透過するが、その光量は半分となるようにスリット１８０ｂの幅や間隔、形状等が調整されているものとする。
【００３６】
判定部３２は、例えば、受光部２６により受光された光の透過率が５０％以上で８０％より低いと判定したとき、光量が０．５であると判定するものとする。よって、この第１〜第６のスリット部１８１〜１８６を通過又は透過した光の光量は、０．５であるものとし、この状態を図５に示す状態２とする。なお、第１〜第６のスリット部１８１〜１８６の透過率は、５０％に限定されず、例えば、操作レバー１２の操作位置の数に応じて変更されても良い。例えば、透過率の異なるスリット部を形成することで、より多くの操作位置を検出することができる。
【００３７】
また、開口部１８０ｃは、例えば、正方形状を有する開口である。第１〜第４の発光部２１〜２４から出射された光は、この開口部１８０ｃを通過又は透過するが、その光量は、拡散や回折等により若干減衰するものの、ほぼ変化しないように、形状等が調整されているものとする。
【００３８】
判定部３２は、例えば、受光部２６により受光された光の透過率が８０％以上で１００％の間の透過率であると判定したとき、光量が１であると判定するものとする。よってよって、この開口部１８０ｃを通過又は透過した光の光量は、１であるものとし、この状態を図５に示す状態１とする。また、この開口部１８０ｃの透過率を基準として、上記の各スリット部の透過率が５０％となるように、スリット部の形状等を調整しても良い。なお、発光部の直上にシャッタ部１８がない場合は、透過率は１００％であるものとする。
【００３９】
第１〜第４のスリット部１８１〜１８４は、例えば、図５に示すように、開口部１８０ｃの各辺に沿って形成されている。操作レバー１２が中立位置にあるとき、第１のスリット部１８１の直下には、後述する第１の発光部２１が配置され、第２のスリット部１８２の直下には、後述する第２の発光部２２が配置され、第３のスリット部１８３の直下には、後述する第３の発光部２３が配置され、第４のスリット部１８４の直下には、後述する第４の発光部２４が配置されている。
【００４０】
第１のスリット部１８１は、例えば、開口部１８０ｃを介して第２のスリット部１８２に対向して形成されている。第３のスリット部１８３は、例えば、開口部１８０ｃを介して第４のスリット部１８４に対向して形成されている。
【００４１】
第５のスリット部１８５は、例えば、操作レバー１２の操作位置が「ＣＲ」で「Ｐ」のとき、第１〜第４の発光部２１〜２４の中央部直上に位置するように形成される（後述の図１０（ｅ）参照。）。
【００４２】
第６のスリット部１８６は、例えば、操作レバー１２の操作位置が「ＣＬ」で「Ｐ」のとき、第１〜第４の発光部２１〜２４の中央部直上に位置するように形成される（後述の図１０（ａ）参照。）。
【００４３】
（発光部について）
図６（ａ）は、本発明の実施の形態に係る発光部と受光部の配置に関する概略図であり、（ｂ）〜（ｅ）は、第１〜第４の発光部の発光タイミングに関する図である。図７は、本発明の実施の形態に係るターンスイッチ装置に関するブロック図である。
【００４４】
第１〜第４の発光部２１〜２４からなる発光部群２５は、図６（ａ）に示すように、基板２０上に配置されている。また、基板２０上には、受光部２６が配置されている。
【００４５】
第１〜第４の発光部２１〜２４は、例えば、発光ダイオード、有機発光ダイオード、発光ポリマー、半導体レーザー等の発光素子からなる。この発光素子は、例えば、赤外線や近赤外線の光を出射するものが用いられる。その波長は、一例として９００ｎｍであり、誤動作を防止するため、車両から発生する振動の振動数を考慮して決定される。
【００４６】
また、第１〜第４の発光部２１〜２４は、例えば、操作レバー１２の操作位置が「Ｎ」で「Ｈｉ」のとき、第１〜第４のスリット部１８１〜１８４の直下になるように配置される（後述の図１０（ｍ）参照。）。
【００４７】
操作レバー１２の操作位置が「Ｎ」で「Ｈｉ」のとき、第１のスリット部１８１の直下に第１の発光部２１が配置され、第２のスリット部１８２の直下に第２の発光部２２が配置され、第３のスリット部１８３の直下に第３の発光部２３が配置され、第４のスリット部１８４の直下に第４の発光部２４が配置される。
【００４８】
ここで、ターンスイッチ装置１の他の構成は、図７に示すように、例えば、第１〜第４の発光部２１〜２４の発光タイミングを制御する発光制御部３０、車両ＬＡＮ用バス６に接続し、判定部３２の判定結果として操作レバー１２の操作位置信号を出力する出力部３６、発光制御部３０、受光部２６、判定部３２及び出力部３６を制御する制御部１００である。
【００４９】
発光制御部３０は、例えば、第１〜第４の発光部２１〜２４の発光タイミングを、以下に示すように制御するものである。
【００５０】
第１の発光部２１は、例えば、図６（ｂ）に示す発光タイミングで発光する。この発光タイミングは、例えば、周期Ｔ（例えば、４ｍｓ。）であり、発光時間はｔ２（例えば、０．４ｍｓ。）であり、Ｄｕｔｙ比は、例えば、１０％である。
【００５１】
第２の発光部２２は、例えば、図６（ｃ）に示すように、第１の発光部２１の発光が終了してから時間ｔ１（例えば、０．６ｍｓ。）後に発光する。発光の周期Ｔ及び発光時間ｔ２は、第１の発光部２１と同じである。
【００５２】
第３の発光部２３は、例えば、図６（ｄ）に示すように、第２の発光部２２の発光が終了してから時間ｔ１後に発光する。発光の周期Ｔ及び発光時間ｔ２は、第１の発光部２１と同じである。
【００５３】
第４の発光部２４は、例えば、図６（ｅ）に示すように、第３の発光部２３の発光が終了してから時間ｔ１後に発光する。発光の周期Ｔ及び発光時間ｔ２は、第１の発光部２１と同じである。
【００５４】
第１の発光部２１は、例えば、第４の発光部２４の発光が終了してから時間ｔ３後に発光する。本実施の形態においては、最後の発光が終了してから、次に発光が開始されるまでの時間ｔ３は、時間ｔ１と同じ時間として図６（ｂ）〜（ｅ）に示しているが、これに限定されない。また、第１〜第４の発光部２１〜２４の発光は、いずれの発光部から開始されも良い。
【００５５】
（受光部について）
図８（ａ）は、本発明の実施の形態に係るライトガイドの側面図であり、（ｂ）は、ライトガイドの上面図、（ｃ）は、図８（ｂ）のVIII(ｃ)−VIII(ｃ)線で切断した断面図である。
【００５６】
受光部２６は、例えば、図８（ａ）に示すように、第１〜第４の発光部２１〜２４が配置される基板２０上に配置される。また、受光部２６は、例えば、直上に後述するライトガイド２８の下部集光部２８Ｂが位置するため、操作レバー１２の「Ｈｉ」方向の操作により、図８（ａ）に示す矢印Ｄ方向に変位するシャッタ部１８と下部集光部２８Ｂが接触しない位置に配置される。
【００５７】
受光部２６は、例えば、フォトダイオード、ＣＣＤ（Charge Coupled Device）、ＣＭＯＳ（Complementary Metal Oxide Semiconductor）等の受光素子からなる。
【００５８】
（ライトガイドについて）
ライトガイド２８は、第１〜第４の発光部２１〜２４から出射された光を集光し、受光部２６に導くものである。このライトガイド２８は、第１〜第４の発光部２１〜２４及び受光部２６が配置される基板２０に対して静止しており、ターンスイッチ装置１は、ライトガイド２８と第１〜第４の発光部２１〜２４の間をシャッタ部１８が変位することで受光部２６に入射する光の光量が変化する。
【００５９】
ライトガイド２８は、例えば、図８（ａ）に示すように、側面から見ると略Ｌ字形状を有し、図８（ｂ）で示すように、上面視で略扇形状となる上部集光部２８Ａと、図８（ａ）に示すように受光部２６側の端部が先細り形状となる下部集光部２８Ｂと、を備えて概略構成されている。
【００６０】
また、ライトガイド２８は、例えば、光を透過して内部を進行する光が、外部との境界において全反射するような材料（例えば、アクリル樹脂。）から形成される。
【００６１】
上部集光部２８Ａは、例えば、その下面２８ａに第１〜第４の発光部２１〜２４に対応する位置に形成されるレンズ２８０を有する。このレンズ２８０は、第１〜第４の発光部２１〜２４から出射された光を集光して上部集光部２８Ａ内部に導くものである。
【００６２】
また、上部集光部２８Ａには、例えば、その上面２８ｂから下面２８ａ側に傾斜する第１〜第４の反射部２８１〜２８４が形成されている。この第１〜第４の反射部２８１〜２８４は、図８（ｃ）に示すように、レンズ２８０により集光された光の光路を上部集光部２８Ａと下部集光部２８Ｂの接続部分に形成される第５の反射部２８５方向に変更するものである。
【００６３】
なお、ライトガイド２８は、例えば、レンズ２８０や第１〜第４の反射部２８１〜２８４を備えない構成を取ることも可能である。また、ライトガイド２８は、例えば、第１〜第４の反射部２８１〜２８４の代わりに、上面２８ｂにくぼみが形成されても良い。さらに、ライトガイド２８は、例えば、レンズ２８０及び下部集光部２８Ｂの端部である出射面２８６以外の表面に、ライトガイド２８内部を進む光を閉じ込めるための遮光膜等を形成しても良い。
【００６４】
第１の反射部２８１は、第１の発光部２１の直上に形成され、第２の反射部２８２は、第２の発光部２２の直上に形成され、第３の反射部２８３は、第３の発光部２３の直上に形成され、第４の反射部２８４は、第４の発光部２４の直上に形成される。
【００６５】
第５の反射部２８５は、上部集光部２８Ａの内部を進む光の光路を変更し、下部集光部２８Ｂの出射面２８６方向に光を導く。
【００６６】
下部集光部２８Ｂは、第５の反射部２８５で光路を変更された光を集光し、集光された光は、端部の出射面２８６から受光部２６に入射する。
【００６７】
（車両システムについて）
車両システム５は、例えば、図７に示すように、車両に搭載された電子機器等と接続される車両ＬＡＮ用バス６と、車両ＬＡＮ用バス６を介してターンスイッチ装置１から操作レバー１２の操作位置信号が入力する入力部５３と、操作位置信号に基づいて車両ＬＡＮ用バス６に接続された電子機器等を制御する車両ＥＣＵ５４と、を備えて概略構成されている。
【００６８】
図９は、本発明の実施の形態に係る機能割付情報を示す表である。判定部３２は、図９に示すように、第１〜第４の発光部２１〜２４から出射された光が、受光部２６で検出されたときの光量を「０」、「０．５」及び「１」の三種類に分け、この光量の組み合わせを操作レバー１２の操作位置に対応付けた機能割付情報３２０を有する。
【００６９】
判定部３２は、第１〜第４の発光部２１〜２４から出射された光の光量の組み合わせによって、操作レバー１２の操作位置を判定する。判定に用いる光量に関わる透過率は、３種類と少ないため、誤判定が防止され、また、３種類の透過率の組み合わせで、最大３の４乗（８１通り。）ポジションの判定が可能である。
【００７０】
ワイパスイッチ装置７は、例えば、図１に示すように、回転支軸７０を回転軸とした操作レバーの操作位置として「ＭＩＳＴ」、「ＯＦＦ」、「ＩＮＴ」、「Ｌｏ」及び「Ｈｉ」を有する。本実施の形態においては、コンビネーションスイッチ装置としてターンスイッチ装置１を例にとって説明したが、ワイパスイッチ装置７に適用しても良い。
【００７１】
以下に、本実施の形態に係るターンスイッチ装置１の動作について各図を参照しながら説明する。
【００７２】
（動作）
図１０（ａ）〜（ｏ）は、本発明の実施の形態に係る発光部群とシャッタの位置と操作レバーの操作位置の関係を示す概略図である。発光部群２５は、第１〜第４の発光部２１〜２４を示すものとする。
【００７３】
操作レバー１２の操作によるシャッタ１８０の変位については、上記で説明しているので、以下では、主に、発光部群２５とシャッタ１８０の位置関係による各操作位置の検出について説明する。
【００７４】
（操作位置「ＣＬ」及び「Ｐ」の判定）
操作位置「ＣＬ」及び「Ｐ」における発光部群２５とシャッタ１８０は、図１０（ａ）に示す位置関係となる。この操作位置では、第１及び第３の発光部２１、２３から出射した光が遮蔽領域１８０ａにより遮蔽されることから受光部２６により受光される光量はそれぞれ「０」であると判定部３２により判定される。なお、一回の操作による、シャッタ１８０の移動量は、例えば、３．５ｍｍである。
【００７５】
また、第２及び第４の発光部２２、２４から出射した光は、直上にシャッタ１８０がないことから、受光部２６により受光される光量はそれぞれ「１」であると判定部３２により判定される。
【００７６】
判定部３２は、第１の発光部２１からの光量を「０」、第２の発光部２２からの光量を「１」、第３の発光部２３からの光量を「０」、第４の発光部２４からの光量を「１」と判定すると（以下、判定結果を表に対応させａ：（０、１、０、１）と表記する。）、機能割付情報３２０に基づいて操作位置を「ＣＬ」及び「Ｐ」であると判定し、判定した操作位置信号を出力部３６から出力する。
【００７７】
（操作位置「Ｌ」及び「Ｐ」の判定）
操作位置「Ｌ」及び「Ｐ」における発光部群２５とシャッタ１８０は、図１０（ｂ）に示す位置関係となる。この操作位置では、第１及び第３の発光部２１、２３から出射した光が遮蔽領域１８０ａにより遮蔽されることから受光部２６により受光される光量はそれぞれ「０」であると判定部３２により判定される。
【００７８】
また、第２の発光部２２から出射した光は、第６のスリット部１８６を通過、又は透過することから受光部２６により受光される光量は「０．５」であると判定部３２により判定される。
【００７９】
さらに、第４の発光部２４から出射した光は、直上にシャッタ１８０がないことから、受光部２６により受光される光量は「１」であると判定部３２により判定される。
【００８０】
判定部３２は、判定結果ｂ：（０、０．５、０、１）と機能割付情報３２０に基づいて操作位置を「Ｌ」及び「Ｐ」であると判定し、判定した操作位置信号を出力部３６から出力する。
【００８１】
（操作位置「Ｎ」及び「Ｐ」の判定）
操作位置「Ｎ」及び「Ｐ」における発光部群２５とシャッタ１８０は、図１０（ｃ）に示す位置関係となる。この操作位置では、第１及び第２の発光部２１、２２から出射した光が遮蔽領域１８０ａにより遮蔽されることから受光部２６により受光される光量はそれぞれ「０」であると判定部３２により判定される。
【００８２】
また、第３の発光部２３から出射した光は、第４のスリット部１８４を通過、又は透過することから受光部２６により受光される光量は「０．５」であると判定部３２により判定される。
【００８３】
さらに、第４の発光部２４から出射した光は、直上にシャッタ１８０がないことから、受光部２６により受光される光量は「１」であると判定部３２により判定される。
【００８４】
判定部３２は、判定結果ｃ：（０、０、０．５、１）と機能割付情報３２０に基づいて操作位置を「Ｎ」及び「Ｐ」であると判定し、判定した操作位置信号を出力部３６から出力する。
【００８５】
（操作位置「Ｒ」及び「Ｐ」の判定）
操作位置「Ｒ」及び「Ｐ」における発光部群２５とシャッタ１８０は、図１０（ｄ）に示す位置関係となる。この操作位置では、第２及び第３の発光部２２、２３から出射した光が遮蔽領域１８０ａにより遮蔽されることから受光部２６により受光される光量はそれぞれ「０」であると判定部３２により判定される。
【００８６】
また、第１の発光部２１から出射した光は、第５のスリット部１８５を通過、又は透過することから受光部２６により受光される光量は「０．５」であると判定部３２により判定される。
【００８７】
さらに、第４の発光部２４から出射した光は、直上にシャッタ１８０がないことから、受光部２６により受光される光量は「１」であると判定部３２により判定される。
【００８８】
判定部３２は、判定結果ｄ：（０．５、０、０、１）と機能割付情報３２０に基づいて操作位置を「Ｒ」及び「Ｐ」であると判定し、判定した操作位置信号を出力部３６から出力する。
【００８９】
（操作位置「ＣＲ」及び「Ｐ」の判定）
操作位置「ＣＲ」及び「Ｐ」における発光部群２５とシャッタ１８０は、図１０（ｅ）に示す位置関係となる。この操作位置では、第２及び第３の発光部２２、２３から出射した光が遮蔽領域１８０ａにより遮蔽されることから受光部２６により受光される光量はそれぞれ「０」であると判定部３２により判定される。
【００９０】
また、第１及び第４の発光部２１、２４から出射した光は、直上にシャッタ１８０がないことから、受光部２６により受光される光量はそれぞれ「１」であると判定部３２により判定される。
【００９１】
判定部３２は、判定結果ｅ：（１、０、０、１）と機能割付情報３２０に基づいて操作位置を「ＣＲ」及び「Ｐ」であると判定し、判定した操作位置信号を出力部３６から出力する。
【００９２】
（操作位置「ＣＬ」及び「Ｌｏ」の判定）
操作位置「ＣＬ」及び「Ｌｏ」における発光部群２５とシャッタ１８０は、図１０（ｆ）に示す位置関係となる。この操作位置では、第１及び第３の発光部２１、２３から出射した光が遮蔽領域１８０ａにより遮蔽されることから受光部２６により受光される光量はそれぞれ「０」であると判定部３２により判定される。
【００９３】
また、第４の発光部２４から出射した光は、第６のスリット部１８６を通過、又は透過することから受光部２６により受光される光量は「０．５」であると判定部３２により判定される。
【００９４】
さらに、第２の発光部２２から出射した光は、直上にシャッタ１８０がないことから、受光部２６により受光される光量は「１」であると判定部３２により判定される。
【００９５】
判定部３２は、判定結果ｆ：（０、１、０、０．５）と機能割付情報３２０に基づいて操作位置を「ＣＬ」及び「Ｌｏ」であると判定し、判定した操作位置信号を出力部３６から出力する。
【００９６】
（操作位置「Ｌ」及び「Ｌｏ」の判定）
操作位置「Ｌ」及び「Ｌｏ」における発光部群２５とシャッタ１８０は、図１０（ｇ）に示す位置関係となる。この操作位置では、第２及び第４の発光部２２、２４から出射した光が遮蔽領域１８０ａにより遮蔽されることから受光部２６により受光される光量はそれぞれ「０」であると判定部３２により判定される。
【００９７】
また、第１の発光部２１から出射した光は、第４のスリット部１８４を通過、又は透過し、第３の発光部２３から出射した光は、第２のスリット部１８２を通過、又は透過ことから受光部２６により受光される光量はそれぞれ「０．５」であると判定部３２により判定される。
【００９８】
判定部３２は、判定結果ｇ：（０．５、０、０．５、０）と機能割付情報３２０に基づいて操作位置を「Ｌ」及び「Ｌｏ」であると判定し、判定した操作位置信号を出力部３６から出力する。
【００９９】
（操作位置「Ｎ」及び「Ｌｏ」の判定）
操作位置「Ｎ」及び「Ｌｏ」における発光部群２５とシャッタ１８０は、図１０（ｈ）に示す位置関係となる。この操作位置では、第１、第２及び第３の発光部２１、２２、２３から出射した光が遮蔽領域１８０ａにより遮蔽されることから受光部２６により受光される光量はそれぞれ「０」であると判定部３２により判定される。
【０１００】
また、第３の発光部２３から出射した光は、開口部１８０ｃを通過又は透過することから、受光部２６により受光される光量は「１」であると判定部３２により判定される。
【０１０１】
判定部３２は、判定結果ｈ：（０、０、１、０）と機能割付情報３２０に基づいて操作位置を「Ｎ」及び「Ｌｏ」であると判定し、判定した操作位置信号を出力部３６から出力する。
【０１０２】
（操作位置「Ｒ」及び「Ｌｏ」の判定）
操作位置「Ｒ」及び「Ｌｏ」における発光部群２５とシャッタ１８０は、図１０（ｉ）に示す位置関係となる。この操作位置では、第１及び第４の発光部２１、２４から出射した光が遮蔽領域１８０ａにより遮蔽されることから受光部２６により受光される光量はそれぞれ「０」であると判定部３２により判定される。
【０１０３】
また、第２の発光部２２から出射した光は、第４のスリット部１８４を通過、又は透過し、第３の発光部２３から出射した光は、第１のスリット部１８１を通過、又は透過することから受光部２６により受光される光量はそれぞれ「０．５」であると判定部３２により判定される。
【０１０４】
判定部３２は、判定結果ｉ：（０、０．５、０．５、０）と機能割付情報３２０に基づいて操作位置を「Ｒ」及び「Ｌｏ」であると判定し、判定した操作位置信号を出力部３６から出力する。
【０１０５】
（操作位置「ＣＲ」及び「Ｌｏ」の判定）
操作位置「ＣＲ」及び「Ｌｏ」における発光部群２５とシャッタ１８０は、図１０（ｊ）に示す位置関係となる。この操作位置では、第２及び第３の発光部２２、２３から出射した光が遮蔽領域１８０ａにより遮蔽されることから受光部２６により受光される光量はそれぞれ「０」であると判定部３２により判定される。
【０１０６】
また、第４の発光部２４から出射した光は、第５のスリット部１８５を通過、又は透過することから受光部２６により受光される光量は「０．５」であると判定部３２により判定される。
【０１０７】
さらに、第１の発光部２１から出射した光は、直上にシャッタ１８０がないことから、受光部２６により受光される光量は「１」であると判定部３２により判定される。
【０１０８】
判定部３２は、判定結果ｊ：（１、０、０、０．５）と機能割付情報３２０に基づいて操作位置を「ＣＲ」及び「Ｌｏ」であると判定し、判定した操作位置信号を出力部３６から出力する。
【０１０９】
（操作位置「ＣＬ」及び「Ｈｉ」の判定）
操作位置「ＣＬ」及び「Ｈｉ」における発光部群２５とシャッタ１８０は、図１０（ｋ）に示す位置関係となる。この操作位置では、第３及び第４の発光部２３、２４から出射した光が遮蔽領域１８０ａにより遮蔽されることから受光部２６により受光される光量はそれぞれ「０」であると判定部３２により判定される。
【０１１０】
また、第１の発光部２１から出射した光は、第２のスリット部１８２を通過、又は透過することから受光部２６により受光される光量は「０．５」であると判定部３２により判定される。
【０１１１】
さらに、第２の発光部２２から出射した光は、直上にシャッタ１８０がないことから、受光部２６により受光される光量は「１」であると判定部３２により判定される。
【０１１２】
判定部３２は、判定結果ｋ：（０．５、１、０、０、）と機能割付情報３２０に基づいて操作位置を「ＣＬ」及び「Ｌｏ」であると判定し、判定した操作位置信号を出力部３６から出力する。
【０１１３】
（操作位置「Ｌ」及び「Ｈｉ」の判定）
操作位置「Ｌ」及び「Ｈｉ」における発光部群２５とシャッタ１８０は、図１０（ｌ）に示す位置関係となる。この操作位置では、第２、第３及び第４の発光部２２、２３、２４から出射した光が遮蔽領域１８０ａにより遮蔽されることから受光部２６により受光される光量はそれぞれ「０」であると判定部３２により判定される。
【０１１４】
また、第１の発光部２１から出射した光は、開口部１８０ｃを通過又は透過することから、受光部２６により受光される光量は「１」であると判定部３２により判定される。
【０１１５】
判定部３２は、判定結果ｌ：（１、０、０、０）と機能割付情報３２０に基づいて操作位置を「Ｌ」及び「Ｈｉ」であると判定し、判定した操作位置信号を出力部３６から出力する。
【０１１６】
（操作位置「Ｎ」及び「Ｈｉ」の判定）
操作位置「Ｎ」及び「Ｈｉ」における発光部群２５とシャッタ１８０は、図１０（ｍ）に示す位置関係となる。この操作位置では、第１の発光部２１から出射した光は、第１のスリット部１８１を通過、又は透過し、第２の発光部２２から出射した光は、第２のスリット部１８２を通過、又は透過し、第３の発光部２３から出射した光は、第３のスリット部１８３を通過、又は透過し、第４の発光部２４から出射した光は、第４のスリット部１８４を通過、又は透過することから受光部２６により受光される光量はそれぞれ「０．５」であると判定部３２により判定される。
【０１１７】
判定部３２は、判定結果ｍ：（０．５、０．５、０．５、０．５）と機能割付情報３２０に基づいて操作位置を「Ｎ」及び「Ｈｉ」であると判定し、判定した操作位置信号を出力部３６から出力する。
【０１１８】
（操作位置「Ｒ」及び「Ｈｉ」の判定）
操作位置「Ｒ」及び「Ｈｉ」における発光部群２５とシャッタ１８０は、図１０（ｎ）に示す位置関係となる。この操作位置では、第１、第３及び第４の発光部２１、２３、２４から出射した光が遮蔽領域１８０ａにより遮蔽されることから受光部２６により受光される光量はそれぞれ「０」であると判定部３２により判定される。
【０１１９】
また、第２の発光部２２から出射した光は、開口部１８０ｃを通過又は透過することから、受光部２６により受光される光量は「１」であると判定部３２により判定される。
【０１２０】
判定部３２は、判定結果ｎ：（０、１、０、０）と機能割付情報３２０に基づいて操作位置を「Ｒ」及び「Ｈｉ」であると判定し、判定した操作位置信号を出力部３６から出力する。
【０１２１】
（操作位置「ＣＲ」及び「Ｈｉ」の判定）
操作位置「ＣＲ」及び「Ｈｉ」における発光部群２５とシャッタ１８０は、図１０（ｏ）に示す位置関係となる。この操作位置では、第３及び第４の発光部２３、２４から出射した光が遮蔽領域１８０ａにより遮蔽されることから受光部２６により受光される光量はそれぞれ「０」であると判定部３２により判定される。
【０１２２】
また、第１の発光部２１から出射した光は、直上にシャッタ１８０がないことから、受光部２６により受光される光量は「１」であると判定部３２により判定される。
【０１２３】
判定部３２は、判定結果ｏ：（１、０．５、０、０）と機能割付情報３２０に基づいて操作位置を「ＣＲ」及び「Ｈｉ」であると判定し、判定した操作位置信号を出力部３６から出力する。
【０１２４】
（効果）
本実施の形態に係るターンスイッチ装置１によれば、１つの受光部２６で多数の操作レバー１２の操作位置を検出することができる。
【０１２５】
また、ターンスイッチ装置１は、３種類の透過率を有する領域をシャッタ部１８のシャッタ１８０に形成することにより、多数の操作位置を容易に検出することができる。また、ターンスイッチ装置１は、３種類の透過率を有する領域を通過又は透過する光の光量の組み合わせにより操作位置を判定するので、操作位置の数だけ光量の変化を検出するコンビネーションスイッチ装置に比べて、操作位置の誤判定が少なく、また、光量を検出する高精度のセンサを必要としないので、低コストとなる。
【０１２６】
さらに、ターンスイッチ装置１は、非接触で操作レバー１２の操作位置を検出することができるので、接点式のコンビネーションスイッチ装置に比べて、耐久性が高い。
【０１２７】
ターンスイッチ装置１は、光を集光するライトガイド２８を有するので、発光部と対向して受光部が設けられたコンビネーションスイッチ装置に比べて、高精度で光量を検出することができる。
【０１２８】
ターンスイッチ装置１は、上記の実施の形態の構成において、理論的には８１通りもの操作位置を検出することができる。
【０１２９】
以下に、さらに多くの操作位置を検出する変形例について説明する。
【０１３０】
（変形例）
図１１は、変形例に係る機能割付情報を示す表である。図１２（ａ）〜（ｊ）は、変形例に係る発光部群とシャッタの位置と操作レバーの操作位置の関係を示す概略図である。ターンスイッチ装置１のディマ操作を５パターンとした場合の操作レバー１２の操作位置の検出について説明する。なお、図１１は、ディマ操作を「Ａ」、「Ｂ」、「Ｎ」、「Ｃ」、「Ｄ」の５パターンとし、Ｎは、中立位置であり、また、上記の実施の形態の「Ｈｉ」の操作位置である。
【０１３１】
変形例における機能割付情報３２０は、図１１に示すように、操作位置「Ａ」〜「Ｎ」までは、実施の形態の操作位置「Ｐ」〜「Ｈｉ」と同じである。
【０１３２】
（操作位置「ＣＬ」及び「Ｃ」の判定）
操作位置「ＣＬ」及び「Ｃ」における発光部群２５とシャッタ１８０は、図１２（ａ）に示す位置関係となる。この操作位置では、第１、第３及び第４の発光部２１、２３、２４から出射した光が遮蔽領域１８０ａにより遮蔽されることから受光部２６により受光される光量はそれぞれ「０」であると判定部３２により判定される。
【０１３３】
また、第２の発光部２２から出射した光は、直上にシャッタ１８０がないことから、受光部２６により受光される光量は「１」であると判定部３２により判定される。
【０１３４】
判定部３２は、判定結果ｐ：（０、１、０、０）と機能割付情報３２０に基づいて操作位置を「ＣＬ」及び「Ｃ」であると判定し、判定した操作位置信号を出力部３６から出力する。
【０１３５】
（操作位置「Ｌ」及び「Ｃ」の判定）
操作位置「Ｌ」及び「Ｃ」における発光部群２５とシャッタ１８０は、図１２（ｂ）に示す位置関係となる。この操作位置では、第２及び第３の発光部２２、２３から出射した光が遮蔽領域１８０ａにより遮蔽されることから受光部２６により受光される光量はそれぞれ「０」であると判定部３２により判定される。
【０１３６】
また、第１の発光部２１から出射した光は、第３のスリット部１８３を通過、又は透過し、第４の発光部２４から出射した光は、第２のスリット部１８２を通過、又は透過ことから受光部２６により受光される光量はそれぞれ「０．５」であると判定部３２により判定される。
【０１３７】
判定部３２は、判定結果ｑ：（０．５、０、０、０．５）と機能割付情報３２０に基づいて操作位置を「Ｌ」及び「Ｃ」であると判定し、判定した操作位置信号を出力部３６から出力する。
【０１３８】
（操作位置「Ｎ」及び「Ｃ」の判定）
操作位置「Ｎ」及び「Ｃ」における発光部群２５とシャッタ１８０は、図１２（ｃ）に示す位置関係となる。この操作位置では、第１、第２及び第３の発光部２１、２２、２３から出射した光が遮蔽領域１８０ａにより遮蔽されることから受光部２６により受光される光量はそれぞれ「０」であると判定部３２により判定される。
【０１３９】
また、第４の発光部２４から出射した光は、直上にシャッタ１８０がないことから、受光部２６により受光される光量は「１」であると判定部３２により判定される。
【０１４０】
判定部３２は、判定結果ｒ：（０、０、０、１）と機能割付情報３２０に基づいて操作位置を「Ｎ」及び「Ｃ」であると判定し、判定した操作位置信号を出力部３６から出力する。
【０１４１】
（操作位置「Ｒ」及び「Ｃ」の判定）
操作位置「Ｒ」及び「Ｃ」における発光部群２５とシャッタ１８０は、図１２（ｄ）に示す位置関係となる。この操作位置では、第１及び第３の発光部２１、２３から出射した光が遮蔽領域１８０ａにより遮蔽されることから受光部２６により受光される光量はそれぞれ「０」であると判定部３２により判定される。
【０１４２】
また、第２の発光部２２から出射した光は、第３のスリット部１８４を通過、又は透過し、第４の発光部２４から出射した光は、第１のスリット部１８１を通過、又は透過することから受光部２６により受光される光量はそれぞれ「０．５」であると判定部３２により判定される。
【０１４３】
判定部３２は、判定結果ｓ：（０、０．５、０、０．５）と機能割付情報３２０に基づいて操作位置を「Ｒ」及び「Ｃ」であると判定し、判定した操作位置信号を出力部３６から出力する。
【０１４４】
（操作位置「ＣＲ」及び「Ｃ」の判定）
操作位置「ＣＲ」及び「Ｃ」における発光部群２５とシャッタ１８０は、図１２（ｅ）に示す位置関係となる。この操作位置では、第２、第３及び第４の発光部２２、２３、２４から出射した光が遮蔽領域１８０ａにより遮蔽されることから受光部２６により受光される光量はそれぞれ「０」であると判定部３２により判定される。
【０１４５】
また、第１の発光部２１から出射した光は、直上にシャッタ１８０がないことから、受光部２６により受光される光量は「１」であると判定部３２により判定される。
【０１４６】
判定部３２は、判定結果ｔ：（１、０、０、０）と機能割付情報３２０に基づいて操作位置を「ＣＲ」及び「Ｃ」であると判定し、判定した操作位置信号を出力部３６から出力する。
【０１４７】
（操作位置「ＣＬ」及び「Ｄ」の判定）
操作位置「ＣＬ」及び「Ｄ」における発光部群２５とシャッタ１８０は、図１２（ｆ）に示す位置関係となる。この操作位置では、第１及び第４の発光部２１、２４から出射した光が遮蔽領域１８０ａにより遮蔽されることから受光部２６により受光される光量はそれぞれ「０」であると判定部３２により判定される。
【０１４８】
また、第２及び第３の発光部２２、２３から出射した光は、直上にシャッタ１８０がないことから、受光部２６により受光される光量はそれぞれ「１」であると判定部３２により判定される。
【０１４９】
判定部３２は、判定結果ｕ：（０、１、１、０、）と機能割付情報３２０に基づいて操作位置を「ＣＬ」及び「Ｄ」であると判定し、判定した操作位置信号を出力部３６から出力する。
【０１５０】
（操作位置「Ｌ」及び「Ｄ」の判定）
操作位置「Ｌ」及び「Ｄ」における発光部群２５とシャッタ１８０は、図１２（ｇ）に示す位置関係となる。この操作位置では、第１、第２及び第４の発光部２１、２２、２４から出射した光が遮蔽領域１８０ａにより遮蔽されることから受光部２６により受光される光量はそれぞれ「０」であると判定部３２により判定される。
【０１５１】
また、第３の発光部２３から出射した光は、直上にシャッタ１８０がないことから、受光部２６により受光される光量は「１」であると判定部３２により判定される。
【０１５２】
判定部３２は、判定結果ｖ：（０、０、１、０）と機能割付情報３２０に基づいて操作位置を「Ｌ」及び「Ｄ」であると判定し、判定した操作位置信号を出力部３６から出力する。
【０１５３】
（操作位置「Ｎ」及び「Ｄ」の判定）
操作位置「Ｎ」及び「Ｄ」における発光部群２５とシャッタ１８０は、図１２（ｈ）に示す位置関係となる。この操作位置では、第１及び第２の発光部２１、２２から出射した光が遮蔽領域１８０ａにより遮蔽されることから受光部２６により受光される光量はそれぞれ「０」であると判定部３２により判定される。
【０１５４】
また、第４の発光部２４から出射した光は、第３のスリット部１８３を通過、又は透過することから受光部２６により受光される光量は「０．５」であると判定部３２により判定される。
【０１５５】
さらに、第３の発光部２３から出射した光は、直上にシャッタ１８０がないことから、受光部２６により受光される光量は「１」であると判定部３２により判定される。
【０１５６】
判定部３２は、判定結果ｗ：（０、０、１、０．５）と機能割付情報３２０に基づいて操作位置を「Ｎ」及び「Ｄ」であると判定し、判定した操作位置信号を出力部３６から出力する。
【０１５７】
（操作位置「Ｒ」及び「Ｄ」の判定）
操作位置「Ｒ」及び「Ｄ」における発光部群２５とシャッタ１８０は、図１２（ｉ）に示す位置関係となる。この操作位置では、第１、第２及び第３の発光部２１、２２、２３から出射した光が遮蔽領域１８０ａにより遮蔽されることから受光部２６により受光される光量はそれぞれ「０」であると判定部３２により判定される。
【０１５８】
また、第３の発光部２３から出射した光は、直上にシャッタ１８０がないことから、受光部２６により受光される光量は「１」であると判定部３２により判定される。
【０１５９】
判定部３２は、判定結果ｘ：（０、０、１、０）と機能割付情報３２０に基づいて操作位置を「Ｒ」及び「Ｄ」であると判定し、判定した操作位置信号を出力部３６から出力する。
【０１６０】
（操作位置「ＣＲ」及び「Ｄ」の判定）
操作位置「ＣＲ」及び「Ｄ」における発光部群２５とシャッタ１８０は、図１２（ｊ）に示す位置関係となる。この操作位置では、第２及び第３の発光部２２、２３から出射した光が遮蔽領域１８０ａにより遮蔽されることから受光部２６により受光される光量はそれぞれ「０」であると判定部３２により判定される。
【０１６１】
また、第１及び第３の発光部２１、２３から出射した光は、直上にシャッタ１８０がないことから、受光部２６により受光される光量はそれぞれ「１」であると判定部３２により判定される。
【０１６２】
判定部３２は、判定結果ｙ：（１、０、１、０）と機能割付情報３２０に基づいて操作位置を「ＣＲ」及び「Ｄ」であると判定し、判定した操作位置信号を出力部３６から出力する。
【０１６３】
（効果）
本変形例におけるターンスイッチ装置１は、ディマ操作を５パターンとすることにより、上記の実施の形態に示した１５通りの操作位置より多い、２５通りの操作位置を検出することができる。
【０１６４】
なお、本発明は、上記した実施の形態に限定されず、本発明の技術思想を逸脱あるいは変更しない範囲内で種々の変形及び組み合わせが可能である。
【０１６５】
例えば、上記の実施の形態におけるターンスイッチ装置１は、操作レバー１２の操作位置を判定し、判定結果を出力した構成であったが、第１〜第４の発光部２１〜２４のそれぞれの光量のみを出力し、外部装置側に機能割付情報を持たせ、これに応じた操作位置を判定させても良い。
【符号の説明】
【０１６６】
１…ターンスイッチ装置、５…車両システム、６…車両ＬＡＮ用バス、７…ワイパスイッチ装置、１０…本体、１２…操作レバー、１４…回転支軸、１６…支持部、１６ａ…上面、１６ｂ…下面、１６ｃ…側面、１８…シャッタ部、１８Ａ…基部、２０…基板、２１〜２４…第１〜第４の発光部、２５…発光部群、２６…受光部、２８…ライトガイド、２８Ａ…上部集光部、２８Ｂ…下部集光部、２８ａ…下面、２８ｂ…上面、３０…発光制御部、３２…判定部、３６…出力部、５１…ステアリングコラム、５２…ステアリングホイール、５３…入力部、５４…車両ＥＣＵ、７０…回転支軸、１００…制御部、１２０…端部、１２２ａ、１２２ｂ…第１及び第２の凸部、１６０…凸部、１６２…ガイド、１８０…シャッタ、１８０ａ…遮蔽領域、１８０ｂ…スリット、１８０ｃ…開口部、１８１〜１８６…第１〜第６のスリット部、１８２ａ、１８２ｂ…第１及び第２の側部、１８３ａ、１８３ｂ…第１及び第２の案内部、２８０…レンズ、２８１〜２８５…第１〜第５の反射部、２８６…出射面、３２０…機能割付情報
【図１】
2011171018.tif 000003
【図２】
2011171018.tif 000004
【図３】
2011171018.tif 000005
【図４】
2011171018.tif 000006
【図５】
2011171018.tif 000007
【図６】
2011171018.tif 000008
【図７】
2011171018.tif 000009
【図８】
2011171018.tif 000010
【図９】
2011171018.tif 000011
【図１０】
2011171018.tif 000012
【図１１】
2011171018.tif 000013
【図１２】
2011171018.tif 000014